Podtech/llm-jp-corpus-v4-ja_patent huggingface dataset:
(57)【要約】      （修正有）【課題】ＯＢＤ（On-board diagnostics）コネクタに接続されているケーブルの色を頼りに、当該ケーブルに直接割り込む等によってアクセスし、イモビライザーをキャンセルしたり、車両情報を盗む等の行為を防止するＯＢＤコネクタ付き車両用ハーネスを提供する。【解決手段】車両ＥＣＵ（Engine Control Unit）１０に接続されるＯＢＤコネクタ１０４付き車両用ハーネス１００であって、ＯＢＤコネクタ１０４とＥＣＵ１０とを繋いでいる複数のケーブル１０６すべてを同じ色のケーブルで構成する。【選択図】図１
0003180691.tif 000002
【実用新案登録請求の範囲】
【請求項１】
車両ＥＣＵに接続されるＯＢＤコネクタ付き車両用ハーネスであって、
前記ＯＢＤコネクタと前記ＥＣＵとを繋いでいる複数のケーブルすべてが同じ色のケーブルで構成されている
ことを特徴とするＯＢＤコネクタ付き車両用ハーネス。
【考案の詳細な説明】
【技術分野】
【０００１】
本考案は、自動車、特に自己故障診断機能を備えた車両の技術分野に関する。
【背景技術】
【０００２】
近年の車両制御はコンピュータ化が進行しており、故障箇所の診断にあたってもＯＢＤ（On-board
diagnostics）即ち、車両搭載のコンピュータ（ＥＣＵ：Engine Control Unit）によって自己診断されるようになっている（特許文献１、非特許文献１を参照）。
【０００３】
この診断結果を把握するには、ＯＢＤコネクタが利用される。ＯＢＤコネクタは車両搭載のコンピュータとケーブルによって電気的に接続されている。ＯＢＤコネクタは、例えば、車両の所定場所の穴の空いたパネル等に対して固定されて備わっている（運転席足下付近に備わっている場合が多い）。自己診断情報を得たい場合には、このＯＢＤコネクタに専用の機器を接続して取得する。これにより、簡単確実に車両の状態やエラー履歴などを把握することができるので、車両整備が迅速確実に行えるようになっている。
【先行技術文献】
【特許文献】
【０００４】
【特許文献１】特開平１１−３２６１４０号公報
【特許文献２】特許第５０８３９２４号
【非特許文献】
【０００５】
【非特許文献１】国土交通省    『高度な車載式故障診断システム（ＯＢＤシステム）導入検討会の設置について』のウェブサイト  http://www.mlit.go.jp/kisha/kisha03/09/090604_.html
【考案の概要】
【考案が解決しようとする課題】
【０００６】
上記ＯＢＤコネクタは、車両に剥き出しで装備されていたり、あっても簡易的なカバーが設けられているのみであり、比較的簡単にアクセスすることが可能である。その点を狙って、このＯＢＤコネクタを利用して、例えばイモビライザー（車両盗難防止装置）をキャンセルする装置を接続する等により車両が盗難されるという事例も発生してきている。
【０００７】
そういった不具合を防止するため、出願人はＯＢＤコネクタ全体をすっぽり覆ってＯＢＤコネクタへのアクセスを防止する保護カバーを発明し、特許を受けている（特許文献３）。
【０００８】
しかしながら、ＯＢＤコネクタ全体を覆ったとしても、ＥＣＵとＯＢＤコネクタとを繋ぐケーブルは、伝達される信号の種類に応じて色分けされており、この色分けの法則を把握してしまえばケーブルに直接割り込む等によりアクセスすることによって、イモビライザーをキャンセルしたり、車両情報を盗む等の行為が可能となっていた。
【０００９】
そこで本考案は、こういったケーブルへの直接のアクセスを困難としたＯＢＤコネクタ付き車両用ハーネスを提供するものである。
【課題を解決するための手段】
【００１０】
上記課題を解消するべく、本考案は、車両ＥＣＵに接続されるＯＢＤコネクタ付き車両用ハーネスであって、前記ＯＢＤコネクタと前記ＥＣＵとを繋いでいる複数のケーブルすべてを同じ色のケーブルで構成することを特徴とする。
【００１１】
要するに、ケーブルが色分けされていることによって信号の種類が特定されるのであって、それを防止するために全てのケーブルを同じ色のケーブルで構成したのである。これによりケーブルを見てもいずれのケーブルにどういった種類の信号が伝達されているのかを特定することが困難となる。特に、出願人が既に特許を得ているＯＢＤコネクタ用保護カバーと併用すれば、コネクタ自体へのアクセスやコネクタのピンの位置から信号の種類を特定することも困難となるので、高い防御機能を発揮させることができる。
【考案の効果】
【００１２】
本考案により、いずれのケーブルが特定の信号を伝達するケーブルであるのかを特定することが困難となる。
【図面の簡単な説明】
【００１３】
【図１】本考案に係るＯＢＤコネクタ付き車両用ハーネスの全体図である。
【考案を実施するための形態】
【００１４】
以下、添付図面を参照しつつ、本考案の実施形態の一例であるＯＢＤコネクタ付き車両用ハーネス１００につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１５】
〈ＯＢＤコネクタ付き車両用ハーネスの構成〉
ＯＢＤコネクタ付き車両用ハーネス１００は、一方が車両に備わるＥＣＵ（Engine
Control Unit）１０に接続されている。この接続は、ＥＣＵ１０に備わる接続端子１２と雄雌嵌合する接続端子１０２により実現される。
【００１６】
接続端子１０２には複数のケーブル１０６が接続固定されている。なおここでは図面理解容易のため４本のケーブル１０６として表現しているが、実際には１０〜１６本程度（規格等により異なる）のケーブルが存在する。また、これら複数のケーブル１０６は全て同じ種類のものが利用されている。即ち、太さや色など、見た目が全て同じケーブルで構成されている。
【００１７】
更にこれら複数のケーブルの他端には、ＯＢＤコネクタ１０４が接続されている。このＯＢＤコネクタ１０４は、車両（図示していない）の所定の位置に固定される。
【００１８】
〈ＯＢＤコネクタ付き車両用ハーネスの作用・機能〉
上記説明したとおり、本考案にかかるＯＢＤコネクタ付き車両用ハーネス１００においては、ＯＢＤコネクタ１０４とＥＣＵ１０を繋ぐ複数のケーブル１０６が全て同じ種類のケーブル、即ち同じ色のケーブルで構成されているので、これら複数のケーブル１０６を見ても、いずれのケーブルにどういった信号が伝達されているのかを判別する事が困難となる。その結果、ケーブル１０６に直接割り込む等によりアクセスすることによって、イモビライザーをキャンセルしたり、車両情報を盗む等の行為を行う事を防止することができる。
【符号の説明】
【００１９】
１０・・・ＥＣＵ（Engine Control Unit）
１００・・・ＯＢＤコネクタ付き車両用ハーネス
１０２・・・接続端子
１０４・・・ＯＢＤコネクタ
１０６・・・ケーブル
【図１】
0003180691.tif 000003
(57)【要約】      （修正有）【課題】手や指を怪我するおそれがないスライサーを提供する。【解決手段】スライサー本体１と、その上を前後にガイドされて、スライサー本体１上を移動するケース４とからなる。ケース４は、スライサー本体の刃との対向面が開口部となり、左右一対のす巻き具６と、す巻き具６を摘むための指ぬき７を有している。【選択図】図２
0003180108.tif 000002
【実用新案登録請求の範囲】
【請求項１】
野菜、果物等をスライスするスライサー本体と、その上を前後にガイドされてスライサー本体の刃の上を移動する野菜、果物等を収納したケースであって，前記刃との対向面が開口部となっているものとよりなり、前記ケースは収納した野菜、果物等を上から押さえる左右一対のす巻き具と、この左右一対のす巻き具を摘むための指抜きを有しているケースはスライサー本体と一対となることを特徴するスライサー。
【請求項２】
前記す巻き具は、その裏面が野菜、果物等の移動を防止する凹凸面となっていることを特徴とする請求項１記載のスライサー。
【考案の詳細な説明】
【技術分野】
【０００１】本考案は、手や指先まで削って仕舞うおそれのないスライサーに関するものである。
【背景技術】
【０００２】従来の、スライサーを使って野菜、果物等、を調理する時は品物によつては早くスライス出来たり、抑える手に力のかかる事もあり、又野菜、果物等も形や大きさもそれぞれ異なり、器具によっては刃に対する感覚も弱い。このため手や指先を怪我してしまうことが多かった。
【考案の概要】
【考案が解決しようとする課題】
【０００３】、上記問題点を解決出来るスライサーを提供することを課題とする。
【課題を解決するための手段】
【０００４】本考案は、野菜、果物等をスライスするスライサー本体と、その上を前後にガイドされてスライサー本体の刃の上を移動する野菜、果物等のケースであって前記刃との対向面が開口部となっているものとよりなり、前記ケースは、収納した野菜、果物等を上から押さえる左右一対のす巻き具と、この左右一体のす巻き具を摘まむための指ぬきを有し、その裏面が野菜、果物等の移動を防止する凹凸面となっているスライサー。
【考案の効果】
【０００５】本考案スライサーによれば、野菜、果物等をす巻き具で摘まんでスライサー本体の刃に押さえつけるので手や指先を怪我するおそれがない。
【図面の簡単な説明】
【０００６】
【図１】実施例のスライサー平面図である
【図２】実施例の斜視図である
【本考案を実施するための最良の形態】
【０００７】以下、添付図面に従って一実施例を説明する。野菜、果物等（１０）の胡瓜を例に説明すると、スライサー本体（１）と、その上を前後にガイド（５）されてスライサーの刃（２）の上を移動する野菜、果物等（１０）を収納するケース（４）であって、前記刃（２）との対向面が開口部（３）となっているものとよりなり、前記ケースは収納した野菜、果物等（１０）を上から押さえる左右一対のす巻き具（６）と、この左右一体のす巻き具を摘まむ指ぬき（７）に指（８）を通して裏面の野菜、果物等（１０）の移動を防止する凹凸面（１１）からなるケース（４）でスライサー本体（１）の、その上の刃（２）と対向面が開口部（３）の刃（２）によってスライスされるスライサー本体（１）とケース（４）からなるスライサーで、胡瓜をスライスする際、左右一対のす巻き具（６）の指ぬき（７）に指（８）を通して野菜、果物等（１０）が移動を防止する凹凸面（１１）で胡瓜を摘まみながら押さえて収納したヶース（３）を移動させてスライスし、す巻き具（６）が刃（２）先の方で弛んだ時は胡瓜を片方の手で押さえて左右一対のす巻き具（６）を持ち直して上に張り上げて胡瓜を再びケースで移動させて繰り返してスライスする。
【符号の説明】
【００１１】１    スライサー本体
２    スライサーの刃
３    スライサーの刃と対向する開口部
４    ケース
５    ガイド
６    す巻き具
７    指ぬき
８    指
９    手
１０  野菜、果物等
１１  野菜、果物等の移動を防止する凹凸面
【図１】
0003180108.tif 000003
【図２】
0003180108.tif 000004
(57)【要約】      （修正有）【課題】室内外や緊急時に携帯又は据え置いて使用し、また蚊取り線香皿やフレグランス商品など既製商品を使用できる多用途ランタンを提供する。【解決手段】多用途ランタン１の点灯オンオフスイッチ５をオンにすると、電池１１からの給電を受けてＬＥＤ１０が点灯する。ＬＥＤ１０の光は反射板３を反射して３６０度方向に照射される。起動スイッチ７をオンにすると、電池１１から給電を受けて送風装置６のモータ１４が起動しファン１２を回転させる。ファン１２が回転すると、収納容器９に収納されている蚊取り線香皿１３から発生する香あるいは蚊取り成分を送風穴８を通して外部に放出する。その送風穴８は３６０度方向に向けて穿設する。【選択図】図３
0003180109.tif 000002
【実用新案登録請求の範囲】
【請求項１】
上段、中段及び下段に区分けした時、その上段には取っ手と点灯用オンオフスイッチを有する灯具を配設し、当該灯具は３６０度方向を照らせる性能とし、前記区分けの中段には電池ユニットと送風ファンとそれを回す電動モータと電動モータ用の起動スイッチとそれらを電気的に配線する基板又は配線と前記ファンが巻き起こす送風を外部に放出する放出穴をケーシングの側面周壁に穿設し、当該放出穴は３６０度方向に向くように配設してなる送風装置を設け、前記区分けの下段には他用途に及ぶ成分発生品を載せ置ける収納容器を脱着可能な手段を介して前記中段の底に止着し、その収納容器内に成分を発散させる既製品又は自然物を収納して使用することを特徴とする多用途ランタン。
【考案の詳細な説明】
【技術分野】
【０００１】  本考案は室内外や緊急時に携帯又は据え置いて使用する多用途ランタンに関する。
【背景技術】
【０００２】  従来、ランタンと虫除け機能を合体させたツーウェイ機能の虫除け機能付きランタンが知られる（特許第３８０１８８１号）。
【考案の概要】
【考案が解決しようとする課題】
【０００３】  従来の虫除け機能付きランタンは、ランタンと虫除け装置の両方に電源が必要であるし、専用の虫除けカートリッジのみを使用できる限定的な構成であり、しかも、その組み合わせのみでしか虫除け機能を発揮できない。又、専用性に特化した限定的な構成であるため、転用の弾力性に欠け固定観念が強い構成となっている。専用性に特化した構成であるがゆえに製造コスト上の無駄が多く、使用者にも融通の利かないものであった。又、係合方法が特殊であったり設計が複雑で製造コストの増大の原因になっていた。
【課題を解決するための手段】
【０００４】  そこで、上段、中段及び下段に区分けした時、その上段には取っ手と点灯用オンオフスイッチを有する灯具を配設し、当該灯具は３６０度方向を照らせる性能とし、前記区分けの中段には電池ユニットと送風ファンとそれを回す電動モータと電動モータ用の起動スイッチとそれらを電気的に配線する基板又は配線と前記ファンが巻き起こす送風を外部に放出する放出穴をケーシングの側面周壁に穿設し、当該放出穴は３６０度方向に向くように配設してなる送風装置を設け、前記区分けの下段には他用途に及ぶ成分発生品を載せ置ける収納容器を脱着可能な手段を介して前記中段の底に止着し、その収納容器内に成分を発散させる既製品又は自然物を収納して使用することを特徴とする多用途ランタンを提供しようとするものである。
【考案の効果】
【０００５】  一つの電源を中心にその上部にランタンを前記電源の下部に送風装置となるように配置することで、背景技術における電気構成上に係る無駄を解消した。ランタンと一体となる送風装置の下に収納容器を懸架するという構成を案出することで、多用途ランタンを実現できた。当該収納容器に収納出来る物であればなんでも収納して、収納物から発生する成分を送風装置が発生させる送風にのせて３６０度方向に放出できる性能を得ることに至った。更に、製造コストも低減することができた。
本考案によれば、既成商品を単独でも、又、本装置を介しても使用することができるので、特化された商品を特定の用途のみしか使用できないという購入者側からみたリスクを除去できた。
【図面の簡単な説明】
【０００６】
【図１】本考案の実施例を示す斜視図である。
【図２】本考案の実施例を示す斜視図である。
【図３】本考案の実施例の組み立て構成を示す斜視図である。
【図４】本考案の内部の状態を示す説明図である。
【考案を実施するための形態】
【０００７】  一つの電源を中心にその上部にランタンを、下部に送風装置となるように配置し、最下部に収納容器を懸架する構成とした。
【実施例】
【０００８】  以下、添付図面に従って本考案の一実施例を説明する。
図１において、１はランタンであり、２は取っ手であり、３は反射板であり、４は透明カバーであり、５は点灯オンオフスイッチである。６は送風装置であり、７は起動スイッチであり、８は送風穴であり、９は収納容器である。【０００９】  図２は図１に示すモデルを下から見上げた斜視図で１０はＬＥＤであり、１乃至９は図１と同じである。【００１０】  図３において、１１は電池であり、１２はファンであり、１３は蚊取り線香皿であり、１４はモータである。１乃至１０は図１と同じである。
点灯オンオフスイッチ５をオンにすると、電池１１からの給電を受けてＬＥＤ１０が点灯する。ＬＥＤ１０の光は反射板３を反射して３６０度方向に照射される。ここで、３６０度方向とは、水平方向全周と斜め上方向・斜め下方向を照らせることを意図する。起動スイッチ７をオンにすると、電池１１から給電を受けて送風装置６のモータ１４が起動しファン１２を回転させる。ファン１２が回転すると、収納容器９に収納されている蚊取り線香皿１３から発生する香取り成分を送風穴８を通して外部に放出する（図４参照）。その送風穴８は３６０度方向に向けて穿設する。ここで、３６０度方向とは、ランタンを置いたテーブルを囲む全員に虫除け成分が放出されることを意図する。
尚、ファン１２を回して有効成分を強制排気（送風）しても、或いは、ファンを回さず自然放出しても良い。
収納容器９の縁には凸部があり、送風装置６の縁にある凹部と咬み合って、収納容器９は送風装置６と取り外し自在に咬合する。取り外し自在に咬合する手段としては他にネジ式を採用しても良い。収納容器９への収納物は、蚊取り線香皿１３の他にフレグランス商品、消臭剤又は森林浴成分等、空気中に有効成分を発散できる商品であれば何でも良く、それらの商品は単独でも、又、本考案の多用途ランタンでも使用することができ、経済的である。【００１１】  １    ランタン
２    取っ手
３    反射板
４    透明カバー
５    点灯オンオフスイッチ
６    送風装置
７    起動スイッチ
８    送風穴
９    収納容器
１０    ＬＥＤ
１１    電池
１２    ファン口
１３    蚊取り線香皿
１４    モータ
【図１】
0003180109.tif 000003
【図２】
0003180109.tif 000004
【図３】
0003180109.tif 000005
【図４】
0003180109.tif 000006
(57)【要約】【課題】ダイヤフラムから放出される被毒物質を遮断する機能を備えた分析用サンプリング装置を提供すること。【解決手段】ガス検出手段にシリコーンゴム製のダイヤフラム１を使用したポンプ２を接続したサンプリング装置において少なくとも非作動時にポンプ２とガスセンサ５との間に被毒物質を遮断する手段４を接続する。【選択図】図１
0003180176.tif 000002
【実用新案登録請求の範囲】
【請求項１】
ガス検出手段にシリコーンゴム製のダイヤフラムを使用したポンプ装置を接続したサンプリング装置において
少なくとも非作動時に前記ポンプ装置とガス検出手段との間に被毒物質を遮断する手段を接続してなるサンプリング装置。
【請求項２】
前記被毒物質を遮断する手段が、シリコーンゴムから揮散物を選択的に吸収するフィルタである請求項１に記載のサンプリング装置。
【請求項３】
前記被毒物質を遮断する手段が、前記ポンプの作動時に開弁し、非作動時に閉弁する逆止弁である請求項１に記載のサンプリング装置。
【請求項４】
前記被毒物質を遮断する手段が、前記ポンプの作動時に付勢を受けて開弁する電磁弁である請求項１に記載のサンプリング装置。
【考案の詳細な説明】
【技術分野】
【０００１】
本考案は、分析に適したサンプリング装置に関する。
【背景技術】
【０００２】
ガス分析装置は、被測定エリアの大気を吸引ポンプによりガスセンサに引きこむように構成されている。このような吸引ポンプは特許文献１に見られるように電磁駆動手段によりダイヤフラムを伸縮駆動されるポンプが使用されている。
このようなダイヤフラムは通常、クロロプレンゴム、ニトリルゴム、エチレンプロピレンゴム、フッ素ゴム等により制作されている。
しかしこれらの材料は低温では硬度が高くなり低温では流量が低下するという問題がある。
【０００３】
このような問題を解消するために低温でも十分に柔軟性を維持するシリコーンゴム製のダイヤフラムを使用することが考えられている。
【０００４】
しかしながら、シリコーンゴムはこれに含まれている揮発成分、例えばシロキ酸を揮散するため、センサ、例えば接触燃焼式ガスセンサによってはこのシロキ酸がセンサ領域に流れ込んでセンサの感度を低下、いわゆる被毒させるという問題がある。
【先行技術文献】
【特許文献】
【０００５】
【特許文献１】特開平８−１３５５７７号公報
【考案の概要】
【考案が解決しようとする課題】
【０００６】
本考案はこのような問題に鑑みてなされたものであって、その目的とするところはシリコーンゴム製ダイヤフラムから放出される被毒物質のセンサ領域への侵入を遮断する機能を備えた分析用サンプリング装置を提供することである。
【課題を解決するための手段】
【０００７】
このような課題を達成するために本考案においては、ガス検出手段にシリコーンゴム製のダイヤフラムを使用したポンプ装置を接続したサンプリング装置において、少なくとも非作動時に前記ポンプ装置とガス検出手段との間に被毒物質を遮断する手段を接続するようにした。
【考案の効果】
【０００８】
ポンプ装置の被毒物質がガス検出手段に流入するのを阻止できてセンサの被毒を確実に防止できる。
【図面の簡単な説明】
【０００９】
【図１】本考案の分析用サンプリング装置の一実施例を示す構成図である。
【図２】本考案の分析用サンプリング装置の他の実施例を示す構成図である。
【図３】本考案の分析用サンプリング装置の他の実施例を示す構成図である。
【考案を実施するための形態】
【００１０】
そこで以下に本考案の詳細を図示した実施例に基づいて説明する。
図１は、本考案のサンプリング装置の一実施例を示すものであって、シリコーン製ダイヤフラム１を備えたポンプ２の吸引口３にはシリコーンを吸着する吸着剤、例えば活性炭を収容した吸着フィルタ４を接続し、その上流側にはガスセンサ、例えば接触燃焼式ガスセンサ５を収容したチャンバ６を接続して構成されている。なお、図中符号７は、塵埃除去用のフィルタを示す。
【００１１】
この実施例において、測定動作が継続している状態ではポンプ２による吸引により被検ガスがチャンバ６に流入して接触燃焼式ガスセンサ５によりその濃度を測定され、ポンプ２の排気口から外部に排出される。
一方、測定動作が停止すると、ポンプ２内の逆流防止用の弁が開放されるため、ポンプ２のダイヤフラム１から揮散したシロキ酸が上流側、つまりチャンバ６に流れ込もうとするが、フィルタ４に吸着されるため、接触燃焼式センサ５がシロキ酸で被毒することはない。
【００１２】
図２は、本考案のサンプリング装置の他の一実施例を示すものであって、ポンプ２の吸引口３には逆止弁８を接続し、その上流側には接触燃焼式ガスセンサ５を収容したチャンバ６を接続して構成されている。
【００１３】
この実施例において、測定動作が継続している状態ではポンプ２による吸引力を受けて逆止弁８が開放され被検ガスがチャンバ６を通過してポンプ２の排気口から外部に排出される。
一方、測定動作が停止すると、ポンプ２内のシロキ酸がチャンバ６に流れ込もうとするが、逆止弁８にはポンプ２の吸引圧が作用しないため、逆止弁８が閉弁状態となり、接触燃焼式センサ５がシロキ酸で被毒することはない。
【００１４】
図３は、本考案のサンプリング装置の他の一実施例を示すものであって、ポンプ２の吸引口には電磁弁９を接続し、その上流側には接触燃焼式ガスセンサ５を収容したチャンバ６を接続して構成されている。
【００１５】
この実施例において、測定動作が継続している状態では電磁弁９が付勢を受けて開弁されるため被検ガスがチャンバ６を通過してポンプ２の排気口から外部に排出される。
一方、測定動作が停止すると、電磁弁９は消勢されて閉弁し、接触燃焼式センサ５がシロキ酸で被毒することはない。
【符号の説明】
【００１６】
１  シリコーン製ダイヤフラム    ２ポンプ    ３  吸引口    ４  活性炭を収容した吸着フィルタ    ５  接触燃焼式ガスセンサ    ６  チャンバ    ７    塵埃除去用のフィルタ    ８  逆止弁    ９  電磁弁
を示す。
【図１】
0003180176.tif 000003
【図２】
0003180176.tif 000004
【図３】
0003180176.tif 000005
(57)【要約】      （修正有）【課題】縫製加工が容易で、保温効果のある寝具を提供する。【解決手段】表裏面を構成する２枚のシート状の生地２、３を有し、このシート状の生地のうち少なくとも一方の内側面４に、アルミニウムを蒸着させた寝具。これにより、縫製加工が容易となり、さらに蒸着したアルミニウムにより保温性を確保できる。【選択図】図２
0003180140.tif 000002
【実用新案登録請求の範囲】
【請求項１】
表裏面を構成する２枚のシート状の生地を有し、このシート状の生地のうち少なくとも一方の内側面に、アルミニウムを蒸着させたことを特徴とする寝具。
【請求項２】
前記寝具は、毛布若しくは敷きパッドであることを特徴とする請求項１記載の寝具。
【考案の詳細な説明】
【技術分野】
【０００１】
本考案は、寝具に関するものである。
【背景技術】
【０００２】
従来、保温効果のある寝具として、第１の毛布生地と第２の毛布生地との間に、アルミニウムの微粉末とバインダを不織布に付着させた層を有するシートを設けた毛布が知られている（例えば、特許文献１参照）。
【先行技術文献】
【特許文献】
【０００３】
【特許文献１】実登３１６８２７８号公報
【考案の概要】
【考案が解決しようとする課題】
【０００４】
しかし、前記従来の毛布では、アルミニウムの微粉末とバインダを不織布に付着させた層を有するシートを、所定の位置に固定する必要があり、縫製に手間が掛かかるという問題がある。
【０００５】
そこで、本考案は、縫製加工が容易で、保温効果のある寝具を提供することを目的とするものである。
【課題を解決するための手段】
【０００６】
前記の課題を解決するために、請求項１記載の考案は、表裏面を構成する２枚のシート状の生地を有し、このシート状の生地のうち少なくとも一方の内側面に、アルミニウムを蒸着させたことを特徴とするものである。
【０００７】
請求項２記載の考案は、請求項１記載の考案において、前記寝具は、毛布若しくは敷きパッドであることを特徴とするものである。
【考案の効果】
【０００８】
本考案は、表裏面を構成する２枚のシート状の生地を有し、このシート状の生地のうち少なくとも一方の内側面にアルミニウムを蒸着させた。これにより、前記従来技術の毛布においては、アルミニウムの微粉末とバインダを不織布に付着させた層を有するシートを、所定の位置に固定する必要があったが、本考案においては、その必要がないため、従来技術よりも縫製加工を容易に行うことができる。
【０００９】
また、シート状の生地のうち少なくとも一方の内側面にアルミニウムを蒸着させたことにより、この内側面が、アルミニウムにより全面が覆われず繊維間に隙間を保ったままであるため、通気性を確保すると共に、蒸着したアルミニウムにより保温性を確保することができる。
【図面の簡単な説明】
【００１０】
【図１】本考案の実施例における毛布の斜視図。
【図２】図１の断面図。
【考案を実施するための形態】
【００１１】
本考案の寝具は、例えば、合わせ毛布、綿入り合わせ毛布、こたつ中掛け毛布、敷き毛布等の毛布や、敷きパッド等に適用することができ、本考案を合わせ毛布に適用した実施例に基づいて説明する。
【００１２】
毛布１は、図１，２に示すように、方形のシート状に形成された生地で形成されるとともに、前記毛布の表裏面を構成する表裏部材２，３を、２枚有している。該表裏部材２，３のうち少なくとも一方の表面が起毛されている。
【００１３】
表裏部材２，３は、任意の大きさに形成され、該表裏部材２，３に用いる生地として、起毛布に用いる生地を任意に用いることができるが、２枚の基布がパイル糸で連結されている編物を編成し、この編物を、両基布間のパイル糸の中間部で切り離して得られた生地や、１枚の基布にパイルを編みこんだ生地を用いることができる。
【００１４】
前記基布としては、特に限定されるものではないが、織布、不織布等が挙げられ、構成する繊維としては、特に限定されるものではないが、ポリエステル繊維、ナイロン繊維、綿繊維、アクリル繊維等を挙げることができ、本実施例では、ポリエステル繊維を用いた。
【００１５】
前記パイル糸の繊維として、例えば、ポリエステル繊維、アクリル繊維、綿繊維、絹、羊毛等を用いることができ、本実施例では、ポリエステル繊維を用いた。
【００１６】
前記表裏部材２，３の少なくとも一方の内側面４には、アルミニウムが蒸着されている。図２においては、表裏部材３の内側面４のみにアルミニウムを蒸着させたが、表裏部材２の内側面にアルミニウムを蒸着しても良いし、表裏部材２と３の両方の内側面にアルミニウムを蒸着するようにしてもよい。
【００１７】
表裏部材２（３）の内側面へのアルミニウムの蒸着方法としては任意の方法を用いることができ、本実施例では次の方法を用いて行った。
【００１８】
先ず、アルミニウムを蒸着する生地を容器内に設置した後に、この容器内を、真空ポンプにより４×１０−４ｍｂａr以下の真空とする。
【００１９】
次に、９９．９％の純度のアルミニウム材を配置した蒸発舟を１３００〜１４００度まで昇温させ、アルミニウムを溶解・蒸発させて、これを前記容器内に導入し、前記生地の所定の面にアルミニウムを付着させた後に、冷却を行う。これにより、生地の所定の面にアルミニウムを蒸着させることができる。
【００２０】
前記表裏部材２，３は、アルミニウムが蒸着された面が内側となるように、重ね合わせた後に、その４辺をヘム巻きにした状態で縫接する。
【００２１】
本考案の寝具は、表裏部材２，３の少なくとも一方の内側面にアルミニウムを蒸着させた。これにより、前記従来技術の毛布においては、アルミニウムの微粉末とバインダを不織布に付着させた層を有するシートを、所定の位置に固定する必要があったが、本考案ではその必要がないため、従来技術よりも縫製加工を容易に行うことができる。
【００２２】
また、表裏部材２，３の少なくとも一方の内側面にアルミニウムを蒸着させたことにより、表裏部材２（３）の内側面は、アルミニウムにより全面が覆われず繊維間に隙間を保ったままであるため、通気性を確保すると共に、蒸着したアルミニウムにより保温性を確保することができる。
【符号の説明】
【００２３】
１  毛布（寝具）
２，３  表裏部材（シート状の生地）
【図１】
0003180140.tif 000003
【図２】
0003180140.tif 000004
(57)【要約】      （修正有）【課題】整形手術をせずに、二重瞼の形成や目頭の拡張をする器具を提供する。【解決手段】略Ｃ字形の両端が適宣の間隔を保持する弾性を有するＣ字形形状記憶部１と、その両端それぞれに卵型の肌保護部材を有するグリップ部２とで構成する二重瞼形成トレーニングクリップ。本器具を内側に挟む力がかかるように左右目頭付近にアーチ状に装着し、目頭の皮を内側に伸ばし目頭を拡張し、挟んだときにできるしわを癖つけて二重瞼を形成する。【選択図】図１
0003180125.tif 000002
【実用新案登録請求の範囲】
【請求項１】
略Ｃ字形の両端が適宣の間隔を保持する弾性を有するＣ字形形状記憶部１と、その両端それぞ      れに卵型の肌保護部材を有するグリップ部２とで構成することを特徴とする二重瞼形成トレー      ニングクリップ。
【考案の詳細な説明】
【技術分野】
【０００１】
本考案は、二重瞼の形成を補助する器具に関する。
【背景技術】
【０００２】
二重瞼の形成は整形手術による方法のほかに、器具で折り癖を付ける（特許文献１    参照）、接着剤で二重瞼を形成する（特許文献２参照）、器具を瞼に挟み込み二重瞼を形成する    （特許文献３参照）もの等がある。
【先行技術文献】
【特許文献】
【０００３】
【特許文献１】特開２００３−３１０６５０号公報
【特許文献２】特開２００７−２３６９０９号公報
【特許文献３】特開２００６−０６８２９５号公報
【考案の概要】
【考案が解決しようとする課題】
【０００４】
二重瞼の整形手術は、高額な費用がかかり、手術をしたことを隠したがる人が多い。また従来技    術の接着剤で瞼を形成するもの（特許文献２参照）や、器具を瞼に挟み込み二重瞼を形成するも    の（特許文献３参照）では、その器具や接着材を取ってしまうと、二重瞼を維持することかでき    ない。
【０００５】
器具で折り癖を付ける従来技術(特許文献１)では、形状がメガネ型になっており、装着時に重量が有り不快に感じていた。また肌を折り込むだけで折り癖がなかなか定着しない。
【課題を解決するための手段】
【０００６】
略Ｃ字形の両端が適宣の間隔を保持する弾性を有するＣ字形形状記憶部１と、その両端それぞ      れに卵型の肌保護部材を有するグリップ部２とで構成することを特徴とする二重瞼形成トレー      ニングクリップとする。
【考案の効果】
【０００７】
本考案は、器具で瞼を折り込むだけでなく、器具の張力で皮膚を引っ張ることにより、より効    果的に二重を癖付けることができる。さらに、目頭付近の皮膚を引っ張り伸ばす事で、目頭を拡    張することができる。従来のメガネ型の物と比べ、小型化、軽量化されており、装着時の不快感    を無くしている。
【０００８】
本考案は、整形手術をせずに、器具や接着剤を付けない状態で、二重瞼の形成と目頭の拡張が    できる。
【図面の簡単な説明】
【０００９】
【図１】本考案の器具の一実施例を示す正面図である。
【図２】本器具の装着図である。
【考案を実施するための形態】
【００１０】
図を用いて考案を実施する形態を説明する。図１に示すように、Ｃ字形形態記憶部１は、弾性      を有するプラスチックスや金属、シリコン、ゴム等の平板状や線状の適宣素材で略Ｃ字形に形      成されており、その両端それぞれに卵形を模したシリコンやゴム、綿等適宣素材を使用した肌      保護部材で成るグリップ部２とで構成される。グリップ部２間の間隔は、両目頭間の距離に相      当し、弾性を有するＣ字形形態記憶部１によってこの間隔は保持される。
【００１１】
図２で装着状況を説明する。本器具を内側に挟む力がかかるように左右目頭付近にアーチ状に装着し、目頭の皮を内側に伸ばし目頭を拡張し、挟んだときにできるしわを癖つけて二重瞼を形成する。
目頭付近の器具装着部Ｂに本器具で挟むように装着する事で、目頭の皮を伸ばし目頭を拡張し、二重瞼のしわを癖付け、二重瞼形成部Ａが形成される。
【符号の説明】
【００１２】
１    C字形形態記憶部
２    グリップ部
Ａ    二重瞼形成部
Ｂ    器具装着部
【図１】
0003180125.tif 000003
【図２】
0003180125.tif 000004
(57)【要約】      （修正有）【課題】清掃によって集められたちり・ほこりから、磁性物質を分別して回収することができる鉄粉・鉄粒分別ちりとりを提供する。【解決手段】鉄粉・鉄粒分別ちりとりは、永久磁石と、永久磁石の底部と側部とを囲う非磁性物質を材料とするケース１２とを裏面１３に取り付けてなり、永久磁石が表面に集められたほこりの中の鉄粉・鉄粒を裏面から磁性によって吸着し、鉄粉・鉄粒を他のちり・ほこりから分別する。【選択図】図２
0003180093.tif 000002
【実用新案登録請求の範囲】
【請求項１】
永久磁石と、該永久磁石の底部と側部とを囲う非磁性物質を材料とするケースとを裏面に取り付けてなり、前記永久磁石が表面に集められたほこりの中の鉄粉・鉄粒を前記裏面から磁性によって吸着し、鉄粉・鉄粒を他のちり・ほこりから分別することを特徴とする鉄粉・鉄粒分別ちりとり。
【請求項２】
前記ケースを木型とすることを特徴とする請求項１記載の鉄粉・鉄粒分別ちりとり。
【請求項３】
前記ケースをプラスティックとすることを特徴とする請求項１または請求項２記載の鉄粉・鉄粒分別ちりとり。
【請求項４】
前記ケースの外側を含めた裏面に樹脂を塗り付けてカバーを形成することを特徴とする請求項１ないし請求項３のいずれかに記載の鉄粉・鉄粒分別ちりとり。
【請求項５】
持ち手金具の留め具にヘラを取り付けることを特徴とする請求項１ないし請求項４のいずれかに記載の鉄粉・鉄粒分別ちりとり。
【考案の詳細な説明】
【技術分野】
【０００１】  この考案は、清掃によって集めたちり・ほこりから、磁性物質を分別して回収することが可能なちりとりに関する。
【考案が解決しようとする課題】
【０００２】  たとえば、鉄工所の工場では、定期的に行う清掃によって集められたちり・ほこりには、鉄粉・鉄粒が多く含まれていたが、従来全てを廃棄物として捨てていた。このような廃棄は、廃棄物の量が過大となるだけでなく、再生可能な資源を捨てていたという問題があった。
【０００３】  そこで、この考案の目的は、清掃によって集められたちり・ほこりの中から、鉄粉・鉄粒を再生資源として利用するために回収することを可能とする鉄粉・鉄粒分別ちりとりを提供することにある。
【課題を解決するための手段】
【０００４】  永久磁石と、永久磁石の底部と側部とを囲う非磁性物質を材料とするケースとを裏面に取り付けてなり、永久磁石が表面に集められたほこりの中の鉄粉・鉄粒を裏面から磁性によって吸着し、鉄粉・鉄粒を他のちり・ほこりから分別することをその要旨とする。
【０００５】  なお、ケースを木型とすることができる。
【０００６】  なお、ケースをプラスティックとすることができる。
【０００７】  また、ケースの外側を含めた裏面に樹脂を塗り付けてカバーを形成してもよい。
【０００８】  ここで、持ち手金具の留め具にヘラを取り付けることができる。
【発明の効果】
【０００９】  かかる考案の構成によるときは、ちりとりに集められたちり・ほこりの中の鉄粉・鉄粒は、裏面に取り付けられている永久磁石の磁性によって、非磁性物質のちり・ほこりを重力によって落下させて除去した後も表面に吸着されて残存しており、ヘラで表面から別の容器に掃き出すことによって回収することができる。なお、非磁性物質を材料とする永久磁石を囲ったケースは、ちりとりの裏面が鉄粉・鉄粒を吸着することを妨げることができる。
【００１０】  木型のケースは、廉価で容易に製作することができる。
【００１１】  プラスティックのケースは、大量生産に適している。
【００１２】  ケースの外側を含めた裏面に樹脂を塗り付けて形成したカバーは、ちりとりの裏面をさらに非磁性化することができ、鉄粉・鉄粒の吸着を妨げることができる。
【００１３】  持ち手金具の留め具に取り付けたヘラは、使い勝手がよく、紛失を避けることができる。
【図面の簡単な説明】
【００１４】
【図１】全体斜視構成図
【図２】全体斜視構成図
【図３】要部斜視構成図
【考案を実施するための形態】
【００１５】  以下、図面を以って考案の実施の形態を説明する。
【００１６】  鉄粉・鉄粒分別ちりとり１０は、永久磁石１１、１１、…と、永久磁石の底部と側部とを囲う非磁性物質を材料とするケース１２、１２、…とを裏面１３に取り付けてなり、永久磁石１１、１１、…が表面１４に集められたほこりの中の鉄粉・鉄粒Ｓ、Ｓ、…を裏面から磁性によって吸着し、鉄粉・鉄粒Ｓ、Ｓ、…を他のちり・ほこりから分別する。
【００１７】  鉄粉・鉄粒分別ちりとり１０は、ケース１２、１２、…を木型として、外側を含めた裏面に樹脂を塗り付けてカバー１５を形成しており、持ち手金具１６の留め具１７にヘラ１８を取り付けている。なお、図１は、鉄粉・鉄粒分別ちりとり１０を斜め上から示しており、表面１４に図示されていない裏面１３に取り付けられている永久磁石１１、１１、…の吸着によって、鉄粉・鉄粒Ｓ、Ｓ、…が残存している状態を示している。また、図２は、鉄粉・鉄粒分別ちりとり１０を斜め下から示しており、ケース１２、１２、…に囲われた永久磁石１１、１１、…が裏面１３に取り付けられている状態を示している。なお、図３は、ケース１２に永久磁石１１、１１、…が囲われている状態を示している。
【符号の説明】
【００１８】Ｓ…鉄粉・鉄粒
１０…鉄粉・鉄粒分別ちりとり
１１…永久磁石
１２…ケース
１３…裏面
１４…表面
１５…カバー
１６…持ち手金具
１７…留め具
１８…ヘラ
【図１】
0003180093.tif 000003
【図２】
0003180093.tif 000004
【図３】
0003180093.tif 000005
(57)【要約】      （修正有）【課題】自動車などの外側に取付け、車内の気温上昇抑止、凍結や霜等による凍結防止、飛来物や落下物からの防護の他、災害時の簡易救命具としても活用できる、軽量で着脱容易で、用途に応じた利便性の高い、かつ安価で製造出来る断熱・凍結・飛散物防止シートを提供する。【解決手段】断熱可能で衝撃を緩和できるシート１の上面にＵＶカット防滴布２を貼着し、防滴布２を覆いネット３で覆い、シート１と覆いネット３を被被覆体５である自動車などの外側にゴム紐を介して吸盤等の緊張具４で取付ると共に、シート１の下面には間隔を有して複数の足高部１ａを有する断熱・凍結・飛散物防止シートとする。また、断熱衝撃緩和シート１の下面に足高部１ａを間隔をおいて配置する。【選択図】図１
0003180098.tif 000002
【実用新案登録請求の範囲】
【請求項１】
断熱可能で衝撃を緩和できるシートと、同シートの上面に貼着したＵＶカット防滴布と、同防滴布を覆うネットと、前記シートとネットを被被覆体に取付ける緊張具と、前記シートの下面に間隔を有してなる複数の足高部とからなることを特徴とする断熱・凍結・飛散物防止シート。
【考案の詳細な説明】
【技術分野】
【０００１】自動車などの外側に取付ける断熱・凍結・飛散物防止シートに関する。
【背景技術】
【０００２】自動車などの外側に取付け、車内の気温上昇抑止、凍結や霜等による凍結防止、飛来物や落下物からの防護の他、災害時の簡易救命具としても活用でき、軽量で着脱容易で、用途に応じた利便性の高い断熱・凍結・飛散物防止シートのニーズがある。
【先行技術文献】
【特許文献】
【０００３】
【特許文献１】特開２００１−２５３２４７号公報
【０００４】
【考案の概要】
【考案が解決しようとする課題】
【０００５】自動車などの外側に取付け、車内の気温上昇抑止、凍結や霜等による凍結防止、飛来物や落下物からの防護の他、災害時の簡易救命具としても活用できる、軽量で着脱容易で、用途に応じた利便性の高い、かつ安価で製造出来る断熱・凍結・飛散物防止シートを提供する。
【課題を解決するための手段】
【０００６】本考案は、断熱可能で衝撃を緩和できるシートの上面にＵＶカット防滴布を貼着して、風雨や積雪や紫外線のカットに耐えるようにし、同防滴布をネットで覆い、強風に耐える為、また、空気が容易にすり抜ける目的とし、シートと防滴布を覆うネットの固定化を図る為、同防滴布から紐を伸ばし、ネットの隙間から通して、ネットに絡ませ、同防滴布へと戻し、定着させた。シートとネットの被覆体である自動車などの外側にゴム紐を介して吸盤等の緊張具で取付、目的設置場所への着脱が容易な使用にすると共に、シートの下面には間隔を有して複数の足高部を設けて、複数の足高部とからなる空気層を作った。それにより、シートは、保冷・保温効果が高まり、また、空気の停滞を防止出来た。また、車塗装面に与える摩擦の影響を軽減させた断熱・凍結・飛散物防止シートである。
【考案の効果】本考案に係る断熱・凍結・飛散物防止シートは、自動車の外面の多面（上部・フロント部・斜部・側面部及びガラス部）と車内装部を対象として、自然エネルギーからの断熱による、夏季における車内の気温上昇の抑止および車内装品の劣化防止、冬季の積雪および霜等による凍結や霜等による凍結防止と、雨季などの風水害から発生する飛来物からの防護および落下物からの防護ならびに、人間が何らかの災害に遭遇した場合の簡易救命具にもなる。また、テント用等容姿を変化させる事で、大型化も可能である。軽量で着脱が容易であり、用途に応じた利便性の高い、かつ安価で製造出来る着脱可能な断熱・凍結・飛散物防止シートで、エネルギー資源の節約に貢献できる。【０００７】
【図面の簡単な説明】
【０００８】
【図１】本考案に係る実施例の部材組立状況を示す側面図である。
【図２】断熱衝撃緩和シート下面の足高部を示す裏面図である。
【図３】ＵＶカット防滴布を示す平面図である。
【図４】覆いネットを示す平面図である。
【考案を実施するための形態】
【０００９】本考案に係る実施例を図１から図４を参照して以下具体的に説明する。
【実施例】
【００１０】本考案は、図１に図示する如く断熱可能で衝撃を緩和できるシート１の上面にＵＶカット防滴布２を貼着し、防滴布２を覆いネット３で覆い、シート１と覆いネット３を被被覆体５である自動車などの外側にゴム紐を介して吸盤等の緊張具４で取付ると共に、シート１の下面には間隔を有して複数の足高部１ａを有する断熱・凍結・飛散物防止シートである。図２は断熱衝撃緩和シート下面の足高部１ａが間隔を有して配しているを様子を示している。図３はＵＶカット防滴布２を示す平面図で、図４は覆いネット３を示す平面図である。
【産業上の利用可能性】
【００１１】本考案は、車のカバーのみならず、野外テントなどにも利用できる。
【符号の説明】
【００１２】１    断熱衝撃緩和シート
１ａ  断熱衝撃緩和シート下面の足高部
２    ＵＶカット防滴布
３    覆いネット
４    緊張具（ゴム紐を介した吸盤）
５    被覆体（車体）
【図１】
0003180098.tif 000003
【図２】
0003180098.tif 000004
【図３】
0003180098.tif 000005
【図４】
0003180098.tif 000006
(57)【要約】      （修正有）【課題】結束バンドの挿通作業を目視し易い場所に任意で移動できる構造とし、保持作業性の向上を実現した、レールによる結束バンド保持機構を提供する。【解決手段】結束バンド２により結束されたケーブル束３を装置内の所定の範囲に保持する構造であって、前記ケーブル束３を結束している結束バンド２を保持すると共に、前記結束バンド２の動きを上下左右のいずれか１次元方向に誘導するレールを含む結束バンド保持構造を筐体の所定の箇所に形成することを特徴とする。【選択図】図１
0003180030.tif 000002
【実用新案登録請求の範囲】
【請求項１】
結束バンドにより結束されたケーブル束を装置内の所定の範囲に保持する構造であって、
前記ケーブル束を結束している結束バンドを保持すると共に、前記結束バンドの動きを上下左右のいずれか１次元方向に誘導するレールを含む結束バンド保持構造を筐体の所定の箇所に形成することを特徴とするレールによる結束バンド保持構造。
【考案の詳細な説明】
【技術分野】
【０００１】
本考案は、束ねたケーブルを縛る結束バンドと、前記結束バンドを保持するための構造部を有し、前記結束バンドによりケーブル束を固定した後でも、前記結束バンドを保持するための構造部をガイドとして１次元方向に結束部を誘導し、前記結束バンドによる保持部を筐体の所定の箇所に移動することができる構造に関する。
【背景技術】
【０００２】
ケーブル束の配線を有する各種装置にて、ケーブル束を装置内で保持するために結束バンドを使用しているが、目視しにくい場所に結束バンドを挿通するときに作業性が悪かった。
これを改善するために、結束バンドを挿通する際のガイド構造を有し、前記ガイドを活用することで目視しにくい場所に結束バンドを挿通するときの作業性を向上させる構造がある。（例えば特許文献１）
【先行技術文献】
【特許文献】
【０００３】
【特許文献１】特開２００５−０５１００３号公報
【考案の概要】
【考案が解決しようとする課題】
【０００４】
しかしながら、特許文献１の従来のガイドを有した構造の場合、そのガイド部は結束バンドを保持するだけで、結束バンドを挿通させる位置を移動できない。
そのため、前記ガイド部が装置の深いところや、狭いところにあるときには、結束バンドを前記ガイド部に挿通させる作業性が良くない欠点があった。
【０００５】
そこで、本考案の課題は、結束バンドの挿通作業を目視し易い場所に任意で移動できる構造とし、結束バンドによる保持作業性の向上を実現することにある。
【課題を解決するための手段】
【０００６】
前記の課題を解決するために本考案は、結束バンドにより結束されたケーブル束を装置内の所定の範囲に保持する構造であって、前記ケーブル束を結束している結束バンドを保持すると共に、前記結束バンドの動きを上下左右のいずれか１次元方向に誘導するレールを含む結束バンド保持構造を筐体の所定の箇所に形成することを特徴とする。
【考案の効果】
【０００７】
本考案によれば、前記結束バンド保持構造において、装置の作業性の良いところで結束バンドによってケーブル束の保持作業をした後に、ケーブル束の結束部を前記結束バンド保持構造のレールをガイドとして滑らすことで、前記結束部及び前記結束バンドでまとめられたケーブル束を、装置の所定の箇所まで押し込み移動させることができる。
そのため、保持作業を装置の浅い場所などの目視し易く作業性の良いところで行うことが出来ることで、配線時の作業性が向上する効果がある。
【図面の簡単な説明】
【０００８】
【図１】本考案の一実施例を示す図であり、筐体にケーブル束３を結束バンド２を用いて結束バンド保持構造部１に保持した様態を示す図である。
【図２】本考案の一実施例を示す図であり、ケーブル束３を結束バンド２を用いて結束する作業を開始する様態を示す図である。
【図３】本考案の一実施例を示す図であり、図２で保持したケーブル束３を結束バンド保持構造部１を介して保持位置に移動した図である。
【考案を実施するための形態】
【０００９】
以下、図面を参照して本考案の実施形態について詳細を説明する。
一実施例として、電話機の主装置で使用される筐体への配線作業を例に、本考案の構造を説明する。
【００１０】
図１は本考案を採用した実施例を示す図であり、１はケーブル束の結束部を筐体の上下方向に滑らせてガイドするためのレール形状を有する結束バンド保持構造部、２はケーブル束を束ねて上記１の保持構造部に結束する結束バンド、３は筐体に固定される複数の回線ケーブルや通信ケーブルを束ねたケーブル束である。
【００１１】
図２は、前記ケーブル束３を前記結束バンド保持構造部１のレール形状部４に前記結束バンド２を用いて保持作業をする際の作業位置を示す。
図２に示すように、ケーブル束３は筐体の浅い場所で保持作業できる。
【００１２】
図３は、前記図２で結束バンド２を用いて保持したケーブル束３を、結束バンド保持構造部１をガイドとして保持部を筐体の深いところに移動したことを示す。
以上説明した通り、本考案であれば、装置（筐体）の浅い場所での保持作業が可能となるため、目視による作業がし易く、且つ保持がし易くなることで作業性を向上することができる。
【符号の説明】
【００１３】
１  結束バンド保持構造部
２  結束バンド
３  ケーブル束
４  レール形状部
【図１】
0003180030.tif 000003
【図２】
0003180030.tif 000004
【図３】
0003180030.tif 000005